(57)【特許請求の範囲】
【請求項１】
ハーネスを抱持する本体部と、パネル側に固定される固定部とから成るハーネスクランプであって、上記本体部と固定部とは、半割り状態にある一対の分割体の閉じ合わせから得られ、該各分割体はヒンジ部を介して開閉可能に連結されて、その両端部側に円筒形状を画成するための側壁を設けると共に、該両側壁間の長手方向に内面に複数の突起を形成した挾持片を両脇に存する対のスリットを介して内側に突出する状態をもって撓み可能に架設し、且つ、該各挾持片の外面に引張操作部を設けたことを特徴とするハーネスクランプ。
【請求項２】
引張操作部は、各挾持片の最も内側に窪んだ外面中央部に設けられていることを特徴とする請求項１記載のハーネスクランプ。
【請求項３】
ハーネスを抱持する本体部と、パネル側に固定される固定部とから成るハーネスクランプであって、上記本体部と固定部とは、半割り状態にある一対の分割体の閉じ合わせから得られ、該各分割体はヒンジ部を介して開閉可能に連結されて、その両端部側に円筒形状を画成するための側壁を設けると共に、該両側壁間の長手方向に内面に複数の突起を形成した挾持片を内側に突出する状態をもって撓み可能に架設し、且つ、該各挾持片の外面に引張操作部を設ける一方、一対の挾持片を内側に押圧する弾性付勢手段を有することを特徴とするハーネスクランプ。
【発明の詳細な説明】
【０００１】
【発明の属する技術分野】
本発明は、例えば、自動車のエンジンルーム等に配線されるハーネスを結束して、所定のパネルに固定するハーネスクランプの改良に関するものである。
【０００２】
【従来の技術】
従来のこの種ハーネスクランプとして、実開平５−６７８０６号公報に示すものが存する。
該従来のハーネスクランプは、具体的には図示しないが、合成樹脂の一体成形品で、Ｃ字状を呈する本体部の対向する内面に一対の挾圧壁を内側に向かって突設すると共に、同本体部の分離する両端に固定部たる一対の係止脚片を外側に向かって延設する構成となっている。
【０００３】
そして、実際にハーネスを結束してパネル側に固定する場合には、一対の係止脚片を拡開しながら、ハーネスをＣ字状本体部の内側に差し込んで、今度は、一対の係止脚片を閉じ合わせて、当該一対の係止脚片をパネル側に穿設されている取付孔内に係止すれば、Ｃ字状本体部の内側で抱持されながら、ハーネスが一対の挾圧壁間で挾圧されるので、これにより、ハーネスが結束状態のままその場に固定されることとなる。
【０００４】
【発明が解決しようとする課題】
従って、従来のハーネスクランプの下では、ハーネスを簡単に結束してパネル側に固定できる利点を有することとなるが、反面、周辺機器等との関係で、ハーネスを軸線方向に移動して、その配線状態に変更を加える必要が生じたような場合には、ハーネスが一対の挾圧壁間で挾圧されているので、ハーネスをＣ字状本体部の内側で自由に移動させることが頗る困難となるばかりか、無理に移動させると、今度は、挾圧壁の存在で、ハーネスの絶縁皮膜を損傷・破損する恐れが十分に考えられた。
【０００５】
【課題を解決するための手段】
本発明は、斯る従来のハーネスクランプが抱える課題を有効に解決するために開発されたもので、請求項１記載の発明は、ハーネスを抱持する本体部と、パネル側に固定される固定部とから成るハーネスクランプであって、上記本体部と固定部とは、半割り状態にある一対の分割体の閉じ合わせから得られ、該各分割体はヒンジ部を介して開閉可能に連結されて、その両端部側に円筒形状を画成するための側壁を設けると共に、該両側壁間の長手方向に内面に複数の突起を形成した挾持片を両脇に存する対のスリットを介して内側に突出する状態をもって撓み可能に架設し、且つ、該各挾持片の外面に引張操作部を設ける構成を採用した。
【０００６】
請求項２記載の発明は、請求項１を前提として、引張操作部は、各挾持片の最も内側に窪んだ外面中央部に設けられている構成を採用した。
請求項３記載の発明は、ハーネスを抱持する本体部と、パネル側に固定される固定部とから成るハーネスクランプであって、上記本体部と固定部とは、半割り状態にある一対の分割体の閉じ合わせから得られ、該各分割体はヒンジ部を介して開閉可能に連結されて、その両端部側に円筒形状を画成するための側壁を設けると共に、該両側壁間の長手方向に内面に複数の突起を形成した挾持片を内側に突出する状態をもって撓み可能に架設し、且つ、該各挾持片の外面に引張操作部を設ける一方、一対の挾持片を内側に押圧する弾性付勢手段を有する構成を採用した。
【０００７】
依って、請求項１記載の発明にあっては、分割体の一方の内面にハーネスを載置して、他方の分割体をそのヒンジ部を介して一方の分割体側に閉じ合わせると、これにより、本体部と固定部とが同時に得られて、本体部の内側でハーネスが結束されながら抱持されることとなるので、後は、固定部をパネル側に固定すれば、ハーネスがその場に固定されることとなる。
しかし、斯る状態にあっては、各挾持片の突起がハーネスの外周に両側から食い付くこととなるので、ハーネスが本体部の内側でその軸線方向に移動する心配が全くない。
【０００８】
逆に、周辺機器等との関係で、ハーネスを軸線方向に移動させて、その配線状態に変更を加える必要が生じたような場合には、今度は、引張操作部を引っ張って、本体部の内側に突出している各挾持片を外側に撓ませると、その突起のハーネスの外周に対する食い付きが容易に解けるので、これにより、ハーネスを必要な軸線方向に移動させて、その配線状態に変更を加えることが可能となる。
【０００９】
請求項２記載の発明にあっては、引張操作部が挾持片の最も内側に窪んだ外面中央部に設けられているので、配線状態に変更を加える時は、突起のハーネスの外周に対する食い付きを効率良く解除できる。
請求項３記載の発明にあっては、請求項１と同様に、一対の分割体を閉じ合わせると、本体部と固定部とが同時に得られるので、本体部の内側ではハーネスが抱持され、固定部をパネル側に固定すれば、ハーネスがその場に固定される。又、ハーネスの配線状態を変更する場合には、引張操作部を引っ張って、突起のハーネスの外周に対する食い付きを解けば、配線状態の変更が可能となる。その上、特に、請求項３記載の発明にあっては、これに加えて、弾性付勢手段の存在で、挾持片を強制的に本体部の内側に押圧することが可能となるので、ハーネスの結束状態が一層確実となって、不必要な移動を効果的に防止できる。
【００１０】
【発明の実施の形態】
以下、本発明を図示する好適な実施の形態に基づいて詳述すれば、第一実施の形態に係るハーネスクランプも、合成樹脂の一体成形品で、ハーネスを抱持する本体部と、パネル側に固定される固定部とから成るものであるが、特徴とするところは、この本体部と固定部との夫々を、下記の半割り状態にある一対の分割体の閉じ合わせから得ようとした点にある。
【００１１】
これを具体的に説明すると、一対の分割体１Ａ・１Ｂは、図１乃至図３に示す如く、各々が半円筒状を呈して、展開状態をもってヒンジ部２を介して開閉可能に連結されて、該各分割体１Ａ・１Ｂの両端部側に円筒形状を画成するための側壁３を設けると共に、当該両側壁３間の長手方向に対しては、内面に複数の三角突起５を形成した挾持片４を対の横スリット６を介して内側に湾曲して突出する状態をもって撓み可能に架設し、且つ、該各挾持片４の最も内側に窪んだ外面中央部にコ字形状を呈する引張操作部７を一体に設ける構成となっている。
【００１２】
これに加えて、一方の分割体１Ａの側縁に２本の係止爪８を設け、他方の分割体１Ｂの対応する側縁に２個の係止孔９を設けて、一対の分割体１Ａ・１Ｂをそのヒンジ部２を介して閉じ合わせると、当該各係止爪８と各係止孔９とが自動的に係止して、一対の分割体１Ａ・１Ｂとで、円筒状にロックされた本体部Ａが得られる構成となっている。
【００１３】
又、上記一対の分割体１Ａ・１Ｂの側縁の外面中間部に、外側に延出する矩形状のステム壁１０Ａ・１０Ｂを個々に連設して、該各ステム壁１０Ａ・１０Ｂの中央部に張出肩部１１ａを有する係止脚片１１を対の縦スリット１２を介して形成し、当該各係止脚片１１の自由端部側に外側に突出する押圧操作部１３を一体に設けると共に、ステム壁の一方１０Ｂの先端部に係止爪１４を設け、他方１０Ａの対応する先端部に係止孔１５を設けて、一対の分割体１Ａ・１Ｂをヒンジ部２を介して閉じ合わせると、同様に、当該係止爪１４と係止孔１５とが係止して、一対の分割体１Ａ・１Ｂの下部側で、ブロック状にロックされた固定部Ｂが同時に得られる構成となっている。
【００１４】
尚、図中、１６は、各ステム壁１０Ａ・１０Ｂの両側に設けられた凸部で、上記係止脚片１１の張出肩部１１ａと共働して、後述するパネルの取付孔の孔縁を内外側から把持するものであるが、上記押圧操作部１３をその高さ分だけパネル面から上方に浮かせる作用をも併せて果たすものである。
【００１５】
依って、斯る構成のハーネスクランプを用いて、ハーネスＨを結束しながらパネルＰ側に固定する場合には、まず、展開状態にある一対の分割体１Ａ・１Ｂのうち、一方の分割体側の内面にハーネスＨを載置して、他方の分割体をヒンジ部２を介して一方の分割体側に閉じ合わせると、図４に示す如く、既述した各分割体１Ａ・１Ｂの側縁に設けられている係止爪８と係止孔９とが係止すると同時に、各ステム壁１０Ａ・１０Ｂ側に設けられている係止爪１４と係止孔１５とも係止するので、これにより、同時に、本体部Ａがその長手方向に沿って円筒状にロックされ、且つ、固定部Ｂもブロック状にロックされることとなる。
【００１６】
又、斯る状態にあっては、ハーネスＨは円筒状にロックされた分割体１Ａ・１Ｂの内側おいて結束されながら抱持される訳であるが、各分割体１Ａ・１Ｂの両端部側では、その側壁３によって画成される円筒形状内に単に移動可能に抱持されるだけであるが、中間部においては、内側に突出する状態をもって架設された各挾持片４の三角突起５がハーネスＨの外周に両側から食い付くこととなるので、これにより、結束状態にあるハーネスＨの軸線方向に対する不必要な移動が確実に阻止できる。且つ、各挾持片４が内側に突出していることは、ハーネスＨの径のバラツキをも効果的に吸収できる利点がある。
【００１７】
従って、後は、ブロック状にロックされている固定部ＢをパネルＰの取付孔Ｐａ内に差し込むと、図５に示す如く、凸部１６の作用を得て、その係止脚片１１の張出肩部１１ａがパネルＰの取付孔Ｐａの孔縁に弾性的に係止するので、これにより、ハーネスＨが結束されたまま、その場で、パネルＰ側に固定されることとなる。
【００１８】
そして、ハーネスＨの固定状態において、例えば、周辺機器等との関係で、ハーネスＨを軸線方向に移動させて、その配線状態に変更を加える必要が生じたような場合には、図６に示す如く、各挾持片４に設けられている引張操作部７を引っ張って、内側に突出している挾持片４を外側に強制的に撓ませると、当該各挾持片４の三角突起５のハーネスＨの外周に対する食い付きが解けるので、後は、この状態のまま、ハーネスＨを必要な軸線方向に移動させれば、その配線状態を容易に変更することが可能となる。尚、変更後に、引張操作部７の引っ張りを解除すれば、再度、各挾持片４が本体部Ａの内側に突出して、その三角突起５をハーネスＨの外周に食い付かせることは言うまでもない。
【００１９】
又、ハーネスＨを結束したまま、ハーネスクランプ自体をパネルＰ側から取り外す必要が生じた場合には、今度は、図７に示す如く、パネルＰ面から凸部１６の分だけ対向して浮き上がっている各押圧操作部１３を内側に押圧すると、これに応じて、対応する係止脚片１１が内側に撓んで、自身の張出肩部１１ａをパネルＰの取付孔Ｐａの孔縁から外すので、後は、この状態のまま、固定部Ｂを取付孔Ｐａから引き抜けば、ハーネスクランプを破損することなく、パネルＰ側から簡単に取り外すことが可能となる。
【００２０】
次に、第二実施の形態に係るハーネスクランプを説明すると、当該第二実施の形態のものは、基本的には、第一実施の形態の構成をそのまま踏襲するものであるが、異なるところは、図８に示す如く、各挾持片４の外面に設けられている引張操作部７間に弾性付勢手段たるＣ字状の連絡壁１７を一体に連設して、そのＣ字状の中央部に凹状のヒンジ部１８を形成する構成となしたものである。
【００２１】
依って、第二実施の形態の下でも、一対の分割体１Ａ・１Ｂ同士をそのヒンジ部２を介して閉じ合わせれば、各分割体１Ａ・１Ｂの側縁側に設けられている係止爪８と係止孔９とが係止すると同時に、各ステム壁１０Ａ・１０Ｂ側に設けられている係止爪１４と係止孔１５とも係止するので、これにより、図９に示す如く、本体部Ａが円筒状にロックされ、且つ、固定部Ｂもブロック状にロックされることとなる。しかし、この時には、Ｌ１＜Ｌ２の関係が成立し、且つ、連絡壁１７の中心位置Ｚがヒンジ部２よりも下方に位置する関係が成立するので、これにより、連絡壁１７の両端部が縮まろうとして、各挾持片４を当該連絡壁１７の縮まり力で更に内側に押圧して、その三角突起５をハーネスＨの外周に一層強く食い付かせることが可能となる。
【００２２】
従って、第二実施の形態にあっては、結束状態にあるハーネスＨの不必要な移動をより確実に阻止できることとなる。尚、引張操作部７を引っ張れば、ハーネスＨの移動が可能となったり、押圧操作部１３を押圧すれば、ハーネスクランプがパネルＰ側から取り外せる等の点では、第一実施の形態のものと全く同様であるので、ここでは、それらに関連した説明を省略する。
【００２３】
【発明の効果】
以上の如く、本発明は、上記構成の採用により、請求項１の下では、分割体の一方の内面にハーネスを載置して、他方の分割体をそのヒンジ部を介して一方の分割体側に閉じ合わせると、これにより、本体部と固定部とが同時に得られて、本体部の内側でハーネスが結束されながら抱持されることとなるので、後は、固定部をパネル側に固定すれば、ハーネスがその場に固定されることとなる。
しかし、斯る状態にあっては、各挾持片の突起がハーネスの外周に両側から食い付くこととなるので、ハーネスが本体部の内側でその軸線方向に移動する心配が全くない。
【００２４】
逆に、周辺機器等との関係で、ハーネスを軸線方向に移動させて、その配線状態に変更を加える必要が生じたような場合には、今度は、引張操作部を引っ張って、本体部の内側に突出している各挾持片を外側に撓ませると、その突起のハーネスの外周に対する食い付きが容易に解けるので、これにより、ハーネスを必要な軸線方向に移動させて、その配線状態に変更を加えることが可能となる。
【００２５】
請求項２の下では、引張操作部が挾持片の最も内側に窪んだ外面中央部に設けられているので、配線状態に変更を加える時は、突起のハーネスの外周に対する食い付きを効率良く解除できる。
請求項３の下では、請求項１と同様に、一対の分割体を閉じ合わせると、本体部と固定部とが同時に得られるので、本体部の内側ではハーネスが抱持され、固定部をパネル側に固定すれば、ハーネスがその場に固定される。又、ハーネスの配線状態を変更する場合には、引張操作部を引っ張って、突起のハーネスの外周に対する食い付きを解けば、配線状態の変更が可能となる。その上、特に、請求項３の下では、これに加えて、弾性付勢手段の存在で、挾持片を強制的に本体部の内側に押圧することが可能となるので、ハーネスの結束状態が一層確実となって、不必要な移動を効果的に防止できる。
【図面の簡単な説明】
【図１】本発明の第一実施の形態に係るハーネスクランプを内面側から示す斜視図である。
【図２】同ハーネスクランプを外面側から示す斜視図である。
【図３】（Ａ）は図１のＡ−Ａ線断面図、（Ｂ）は図１のＢ−Ｂ線断面図である。
【図４】一対の分割体を閉じ合わせて、ハーネスを抱持した状態を示す斜視図である。
【図５】ハーネスをパネルに固定した状態を示す要部断面図である。
【図６】ハーネスの移動を可能とした状態を示す要部断面図である。
【図７】ハーネスクランプ自体をパネルから取り外す状態を示す要部断面図である。
【図８】第二実施の形態に係るハーネスクランプをその展開状態をもって示す側面図である。
【図９】同ハーネスクランプにおいて、一対の分割体を閉じ合わせた状態を示す側面図である。
【符号の説明】
Ａ      本体部
Ｂ      固定部
１Ａ    分割体
１Ｂ    分割体
２      ヒンジ部
３      側壁
４      挾持片
５      三角突起
６      横スリット
７      引張操作部
８      係止爪
９      係止孔
１０Ａ  ステム壁
１０Ｂ  ステム壁
１１    係止脚片
１１ａ  係止脚片の張出肩部
１２    縦スリット
１３    押圧操作部
１４    係止爪
１５    係止孔
１６    凸部
１７    連絡壁（弾性付勢手段）
１８    ヒンジ部
Ｈ      ハーネス
Ｐ      パネル
Ｐａ    パネルの取付孔
【図１】
0004166860.tif 000002
【図２】
0004166860.tif 000003
【図３】
0004166860.tif 000004
【図４】
0004166860.tif 000005
【図５】
0004166860.tif 000006
【図６】
0004166860.tif 000007
【図７】
0004166860.tif 000008
【図８】
0004166860.tif 000009
【図９】
0004166860.tif 000010